(57)【要約】【課題】ノートブック型パソコンの携帯型テーブルとしても使用できる収納ケースを提供する。【解決手段】ノートブック型パソコン収納ケース上面を該パソコン載置テーブルとして使用するため、ケース内部を該上面に平行な隔壁により仕切り、該隔壁下面側にそれぞれ接続端４１，４２、及び４３，４４でそれぞれ２本の脚を接続した一対の支持柱を設け、それぞれの接続端を結ぶ軸の周りに回動可能とする。４本の脚は、延長可能としてパソコン操作に適した高さに調整する。【選択図】  図４
2007183917.tif 000002
【特許請求の範囲】
【請求項１】
収納用ケースであって、
該収容ケースの一面を電子機器などの載置用テーブルとして使用するべく、該ケース体内に上記面に平行に収納用空間を仕切る、少なくとも一つの隔壁を設けると共に該隔壁の反対側に折畳み支持柱を備えたフレーム部材を設けた、
ことを特徴とする収納ケース。
【請求項２】
前記ケース体は、ノートブック型パソコン用キャリングケースまたはスーツケースであることを特徴とする請求項１記載の収納ケース。
【請求項３】
前記フレーム部材は、少なくとも第１の支持フレームおよび第２の支持フレームからなり、
前記第１及び第２の支持フレームは、折畳み支持柱を回動可能に接続する接続端を備えることを特徴とする請求項１記載の収納ケース。
【請求項４】
前記第１の支持フレームの接続端は、第１の接続端及び外接続端からから延伸された第１の支持柱を備えることを特徴とする請求項３記載の収納ケース。
【請求項５】
前記第２の支持フレームの接続端は、第２の接続端及び該接続端から延伸された第２の支持柱を備えることを特徴とする請求項３記載の収納ケース。
【請求項６】
前記第１の支持フレームの接続端は、第３の接続端及び該接続端から延伸された第３の支持柱を備えることを特徴とする請求項３記載の収納ケース。
【請求項７】
前記第２の支持フレームの接続端は、第４の接続端及び該接続端から延伸された第４の支持柱を備えることを特徴とする請求項３記載の収納ケース。
【請求項８】
前記第１の支持柱の内壁内部には、第１の延伸柱が設けられることを特徴とする請求項４記載の収納ケース。
【請求項９】
前記第１の支持柱の外壁面には、第１の掛合部材が嵌合され、前記第１の延伸柱を引き出した後の固定に使用されることを特徴とする請求項８記載の収納ケース。
【請求項１０】
前記第１の延伸柱の内壁部分には、孔およびそれに対応する弾性体が設けられ、前記第１の延伸柱を第１の支持柱の内壁内部から引き出したとき、前記弾性体の凸縁部分が前記孔から飛び出し、前記掛合部材の側縁部分に掛合固定されることを特徴とする請求項９記載の収納ケース。
【請求項１１】
前記側縁部分には、溝口および前記溝口から前記第１の掛合部材の内壁部分に延伸された滑溝が設けられ、前記第１の延伸柱を前記第１の支持柱の内壁に収納するとき、前記凸縁部分が溝口部分から滑溝に沿って前記第１の延伸柱の内壁部分に押し戻されることを特徴とする請求項１０記載の収納ケース。
【請求項１２】
前記隔壁の前記平面上には、グリップ部嵌合部材が設けられ、グリップ部の収納および展開に使用され、前記グリップ部嵌合部材およびグリップ部によってケース体を牽引可能としたことを特徴とする請求項１記載の収納ケース。
【請求項１３】
前記隔壁の前記平面上には、収納凹部が設置され、前記収納凹部内には収納袋が設けられ、物品が収納されることを特徴とする請求項１記載の収納ケース。
【請求項１４】
ケース体内の隔壁平面上にそれぞれ回動可能に設けられた複数の支持柱を備えた収納ケースの機能変更方法であって、
ケース体の該複数の支持柱収容部開口部分を開き、前記支持柱を外部に露出させるステップと、
前記支持柱を回動させ、前記支持柱を前記ケース体から直立させて、ケース体により電子機器などの載置用テーブルを形成するステップと
を含むことを特徴とする収納ケースの機能変更方法。
【請求項１５】
さらに、前記支持柱の内壁内部に収納された延伸柱を引き出し、前記載置用テーブルの載置面を所定の高さに調整するステップと、
前記支持柱の外壁に予め設置された掛合部材および延伸柱の内壁に設けられた孔およびそれに対応する弾性体によって、延伸柱を支持柱から引き出した後、掛合固定するステップと
を含むことを特徴とする請求項１４記載の収納ケースの機能変更方法。
【請求項１６】
前記ケース体は、ノートブック型パソコン用キャリングケースまたはスーツケースであることを特徴とする請求項１４記載の収納ケースの機能変更方法。
【請求項１７】
前記延伸柱を支持柱の内壁内部から引き出したとき、前記弾性体の凸縁部分が前記孔から飛び出し、前記掛合部材の側縁部分に掛合固定されることを特徴とする請求項１５記載の収納ケースの機能変更方法。
【請求項１８】
前記側縁部分には、溝口および前記溝口から前記第１の掛合部材の内壁部分に延伸された滑溝が設けられ、前記第１の延伸柱を前記第１の支持柱に内壁に収納するとき、前記凸縁部分が溝口部分から滑溝に沿って前記延伸柱の内壁部分に押し戻されることを特徴とする請求項１７記載の収納ケースの機能変更方法。
【請求項１９】
前記平面上には、グリップ部嵌合部材が設けられ、ブリップ部の収納および展開に使用され、前記ブリップ部嵌合部材およびグリップ部によってケース体に牽引機能を提供することを特徴とする請求項１４記載の収納ケースの機能変更方法。
【請求項２０】
前記隔壁の前記平面上には、収納凹部が設けられ、前記収納凹部内には収納袋が設けられ、物品が収納されることを特徴とする請求項１４記載の収納ケースの機能変更方法。
【発明の詳細な説明】
【技術分野】
【０００１】
本発明は、収納ケースおよびその機能変更方法に関し、特に収納ケース内に折畳み脚を増設した技術に関する。
【背景技術】
【０００２】
現在ノートブック型パソコンはデスクトップ型パソコンよりも普及しつつあり、空港、駅、デパート、ファーストフード店および喫茶店などでは人々がノートブック型パソコンを使用しているのを見かける。これらのノートブック型パソコンを膝の上に置いて使用している状況がよく見られ、膝上型パソコンと称してよいほどである。この使用方法では、使用者とキーボードとの距離が近すぎ、モニターを見る角度や使用時の姿勢などから言っても人間工学的に好適ではなく、長時間使用した場合、人体に傷害をもたらす。
【０００３】
図１は、従来技術においてノートブック型パソコン１２を使用する状態を示す模式図である。図１では、使用者１０が野外または公共場所の席１１でノートブック型パソコン１２を使用している。使用者１０は、ノートブック型パソコン１２の使用に対応していない公共のテーブルなどという状況では通常ノートブック型パソコン１２を膝の上に置いて必要な操作を行う。しかし、ノートブック型パソコン１２を使用しているとき、使用者１０は屈み込んだ角度からノートブック型パソコン１２のモニターを見ており、不自由であるばかりでなく、斜めの角度からモニターを見た場合、表示される画面ははっきりせず、使用者に視力障害をもたらす可能性がある。また、ノートブック型パソコン１２が使用者１０の膝上に置かれるので、ノートブック型パソコン１２は完全に使用者の体に密着されており、使用者１０は斜め上方の方向１４からノートブック型パソコン１２のキーボードを操作するので、快適にノートブック型パソコン１２を操作できない。
【０００４】
上記の欠点に鑑み、使用者がノートブック型パソコンを屋外または公共場所で使用するとき、如何に住居内と同じような良好な操作環境を確保するかは解決が期待された重要な課題であった。
【特許文献１】特開昭６０−４９４１９号公報
【特許文献２】特開２００５−１４２１２号公報
【発明の開示】
【発明が解決しようとする課題】
【０００５】
本発明の目的は、従来技術によるノートブック型パソコン用キャリングケースを改良し、キャリングケースとしての機能以外に、ケース体内に折畳み脚を増設することによって、ノートブック型パソコンの携帯型テーブルとして使用でき、ノートブック型パソコン以外のその他の電子装置にも同様に使用できる収納ケースおよびその機能変更方法を提供することにある。
【課題を解決するための手段】
【０００６】
上記の課題を解決するために、本発明は、ケース体、少なくとも一つの隔壁および折畳み脚を備える。ケース体はノートブック型パソコン用キャリングケースまたはスーツケースのように空間を形成する。隔壁は空間内に設けられ、空間を少なくとも第１の空間および第２の空間に分ける。第１の空間には電子装置が収容され、第２の空間は折畳み脚の収納に使用される。第２の空間内において、折畳み脚は、少なくとも隔壁の一平面上に回動可能に接続される接続端を備え、第２の空間が開放されたとき、折畳み脚をケース体の積載フレームまたは脚部にすることができる。
【０００７】
また、折畳み脚は、通常、第１の支持フレームおよび第２の支持フレームを備える。第１の支持フレームは隔壁の平面上に回動可能に接続される第１の接続端を備える。第１の支持フレームの機能と同様に、第２の支持フレームも隔壁に回動可能に接続される第２の接続端を備える。
【０００８】
また、第１の支持フレームは上記の第１の接続端から延伸された第１の支持柱を備える。第２の支持フレームも上記の第２の接続端から延伸された第２の支持柱を備える。第１の支持フレームおよび第２の支持フレームにはさらに第３の接続端および第４の接続端からそれぞれ延伸された第３の支持柱および第４の支持柱が設けられ、それぞれ隔壁の平面に回動可能に接続される。
【０００９】
また、上記の支持柱の内壁には第１の延長脚、第二の延長脚、第三の延長脚および第四の延長脚をそれぞれ設けることができる。これらの延長脚は各支持柱の内壁から展開および収納の動作を行うことができる。展開動作後の掛止を行うために、上記の支持柱の外壁には第１の掛合部材、第二の掛合部材、第三の掛合部材および第四の掛合部材を設けることができる。上記の延長脚の内壁には孔およびそれに対応する係合体を設けることができ、延長脚が支持柱の内壁から引き出されたとき、係合体の凸縁部分が孔から飛び出し、掛合部材の側縁に掛止される。延長脚が支持柱の内壁に収納されるとき、上記の掛合部材の側縁部分には溝口および溝口から掛合部材の内壁部分まで延伸された滑溝が設けられており、延長脚が外力によって支持柱の内壁に押し戻されたとき、係合体の凸縁部分が溝口部分から滑溝に沿って延長脚の内壁部分に押し戻される。
【００１０】
上記のケース体内には複数の支持柱が設けられ、ケース体内の平面にそれぞれ回動可能に接続されるという前提の下、本発明は収納ケースの機能変更方法を提供することができ、ケースとしての機能から積載フレームまたはテーブルとしての機能に変更することができ、この変更方法は少なくとも下記のステップを含む。
（ａ）ケース体の開口部分を開け、上記の支持柱を外部に露出させ、機能変更を行うステップ。
（ｂ）支持柱を回動させ、支持柱をケース体から直立させ、ケース体を地面上に立てるステップ。
（ｃ）支持柱の内壁に設けられた延長脚を引き出し、ケース体を積載フレームまたはテーブルとして必要な所定の高さに調整するステップ。
（ｄ）高さを調整した後、支持柱の外壁に設置された掛合部材および延長脚の内壁に設けられた孔およびそれに対応する係合体によって、延長脚を固定位置に掛合固定するステップ。
【００１１】
上記の収納ケースと同様に、本発明の機能変更方法において、ケース体はノートブック型パソコン用キャリングケースまたはスーツケースとすることができる。上記の延長脚の内壁部分に設けられた孔および係合体は、延長脚が支持柱の内壁から引き出されたとき、係合体の凸縁部分が孔から飛び出し、掛合部材の側縁に掛止される。延長脚を支持柱内壁に収納するとき、上記の掛合部材の側縁部分に溝口および溝口から掛合部材の内壁部分に延伸された滑溝が設けられており、延長脚が外力によって支持柱の内壁に押し戻されたとき、係合体の凸縁部分は溝口部分から滑溝に沿って延長脚の内壁部分に押し戻される。
【発明の効果】
【００１２】
収納ケースは、ノートブック型パソコンなどの電子装置のケースとして使用できる。ケース体の空間に分離された一空間には折畳み脚が収容され、それを展開することによって、本発明の収納ケースはケースとしてだけでなく、コンピュータ用の携帯型テーブルとしても使用できる。
【発明を実施するための最良の形態】
【００１３】
本発明を詳細に説明する実施例を図に沿って下記に述べる。
【００１４】
図２は、本発明の収納ケースを示す斜視図である。図２に示すように、収納ケース２はケース体２０、少なくとも一つの隔壁２１および折畳み脚となる支持柱（図示せず）を備える。
【００１５】
図３は、図２の側面図である。図３に示すように、ケース２０は内部を物品用の収納空間３０を隔壁２１によって折畳み脚となる支持柱の収納空間３１と仕切られる。
【００１６】
図４は、図２の底面図である。図４に示すように、折畳み支持柱４０は接続端４１、４２、及び４３、４４で結合されたそれぞれ一対の支持柱を供えた第１，第の支持フレーム５０、５１を備え、隔壁２１にこれらの支持フレームの軸線の廻りに回動可能に取り付けられる。
【００１７】
図５は、図４に示される折畳み脚の斜視図である。図５において、折畳み脚となる支持柱４０は、第１の支持フレーム５０および第２の支持フレーム５１を備える。両支持フレーム５０、５１は、隔壁２１の平面上にそれぞれ回動可能に配置される。両支持フレーム５０、５１は、第１の支持柱５０１、第２の支持柱５１１、第３の支持柱５０２および第４の支持柱５１２を備え、上記の支持柱５０１、５１１、５０２、５１２は隔壁２１に回動可能に接続される隔壁平面上の接続点となる第１の接続端４２、第２の接続端４４、第３の接続端４１および第４の接続端４３をそれぞれ備える。
これらの接続端の構造は、隔壁面に平行な軸廻りに回動する回転軸構造であって、慣用されたものでよく、説明の詳細を省く。
【００１８】
図６は、図５において述べた第１の支持柱の構造を示す斜視図である。第２〜４の支持柱の構造は共通するため、以下説明を省略する。
【００１９】
図６において、第１の支持柱５０１の内壁内部には第１の延長脚６０が設けられ、第１の支持柱５０１は矢印の方向６０１にその長さを延長することができる。また、第１の支持柱５０１の外壁面上には第１の掛合部材６１が設けられ、第１の延長脚６０が引き出された状態でその位置に固定する。また、第１の延長脚６０の内壁部分には孔６２が設けられ、その孔６２内にはバネなどの弾発力により突出移動する係合体６３が設けられる。係合体６３は、これらの弾発力と第１の支持柱５０１の内壁による押圧力によって孔６２を径方向に往復移動する。図６においては係合体６３は、第１の延長脚６０が第１の支持柱５０１内に収納されているため、係合体６３はこのとき第１の支持柱５０１の内壁によって押圧され、該孔内にある。
【００２０】
図７は、図６の第１の延長脚６０を第１の支持柱５０１の内壁内部から引き出したときの状態を示す斜視図である。図７において、第１の延長脚６０が第１の支持柱５０１の内壁内部から引き出され、第１の延長脚６０の内壁部分に設けられた孔６２が第１の支持柱５０１の内壁内部から離れたとき、係合体６３が弾性移動し、係合体６３の凸縁部分７０が孔６２から突出して、第１の掛合部材６１の側縁上に掛合固定される。
【００２１】
図８は、図７を別の角度から見た状態を示す斜視図である。図８において、第１の掛合部材６１の側縁部分には溝口８０が設けられ、溝口８０部分から第１の掛合部材６１の内壁部分には滑溝８１が延伸されており、第１の掛合部材６１を回動操作すると係合体６３の凸出部分７０が溝口８０内に進入し、凸縁部分７０は滑溝８１に沿って第１の延長脚６０の内壁部分に押し戻され、第１の延長脚６０は第１の支持柱５０１の内壁内部に収納される。
【００２２】
図９は、本発明の提供する収納ケースの機能変更操作のフロー図である。この機能変更方法は、上記のケース体内に予め収納された複数の支持柱によるものであり、これらの支持柱はケース体内の平面上に回動可能に接続されている。この機能変更方法は少なくとも下記のステップを含む。
ステップ９０：よく見られる方式として、ケース体上にファスナー構造を設置し、ケース体の少なくとも一つの開口部を開け、ケース体内に収容されている支持柱を外部に露出させるステップ。
ステップ９１：ケース体内に回動可能に接続されている支持柱を回動させ、支持柱をケース体から直立させてケース体を積載フレームまたはテーブルとして使用するための脚部とするステップ。
ステップ９２：支持柱の内壁に設けられた延長脚を引き出し、ケース体を積載フレームまたはテーブルとして必要な所定の高さに調整するステップ。
ステップ９３：高さを調整した後、支持柱の外壁に設置された掛合部材および延長脚の内壁に設けられた孔および対応する係合体によって、支持柱と延長脚とを固定するステップ。
【００２３】
図１０は、図４の折畳み脚に牽引機能を増設した状態を示す模式図である。図１０において、折畳み脚４０は隔壁２１の平面上に回動可能に接続される接続端４１、４２、４３、４４を備える。折畳み脚４０の下部にはグリップ部嵌合部材Ｐ４が設けられ、グリップ部Ｐ１を収容し、またグリップ部Ｐ１を引き出すことができ、グリップ部嵌合部材Ｐ４とグリップ部Ｐ１とによって収納ケースに牽引機能が提供される。さらに、隔壁２１上の折畳み脚４０およびグリップ部嵌合部材Ｐ４の外部の空間に収納凹部Ｐ２を設置することができ、収納凹部Ｐ２内には収納袋Ｐ３が設けられ、予備電池またはその他物品を収納でき、本発明の収納ケースをより便利なものにする。
【００２４】
上記のケース体は、通常、ノートブック型パソコン用キャリングケースまたはスーツケースとすることができる。
【００２５】
延長脚を支持柱の内壁内部から引き出したとき、孔内の係合体の凸縁部が飛び出し、延長脚が凸縁部分の掛合によって掛合部材の側縁部分に掛合固定される。
【００２６】
また、ケース体に積載フレームまたは脚部を収納したいとき、掛合部材を回動し、凸縁部分を側縁部分に設けられた溝口に進入させ、溝口部分からは掛合部材の内壁部分に滑溝が延伸されており、凸縁部分を上記の溝口部分に進入させ、溝口部分から滑溝に沿って延長脚の内壁部分に押し入れると、延長脚は掛合部材の側縁部分に固定されなくなり、延長脚を支持柱に内壁内部に収納させることができる。最後に、支持柱を回動させてケース体内に戻し、開口部を閉じると積載フレームまたは脚部の収納動作が完了する。
【００２７】
上記の内容は本発明の実施例を利用して本発明を詳細に説明したものであり、本発明の範囲を制限するものではない。当該技術に熟知するものは適当な変更および調整を行うことができ、それらは本発明に含まれる。
【図面の簡単な説明】
【００２８】
【図１】従来技術におけるノートブック型パソコンの操作状況を示す模式図である。
【図２】本発明の収納ケースを示す斜視図である。
【図３】本発明の収納ケースを示す側面図である。
【図４】本発明の収納ケースを示す底面図である。
【図５】本発明の折畳み脚を示す斜視図である。
【図６】本発明の支持柱の構造を示す斜視図である。
【図７】本発明の延長脚および支持柱の動作を示す模式図である。
【図８】本発明の延長脚および支持柱の動作を示すもう一つの角度からの模式    図である。
【図９】本発明の収納ケースの機能変更方法を示すフロー図である。
【図１０】本発明の折畳み脚に牽引機能および収納凹部を増設した状態を示す模式図である。
【符号の説明】
【００２９】
２    収納ケース
２０  ケース体
２１  隔壁
３０  第１の空間
３１  第２の空間
４０  折畳み脚
４１  第３の接続端
４２  第１の接続端
４３  第４の接続端
４４  第２の接続端
５０  第１の支持フレーム
５１  第２の支持フレーム
５０１  第１の支持柱
５０２  第３の支持柱
５１１  第２の支持柱
５１２  第４の支持柱
６０  第１の延長脚
６０１  方向
６１  第１の掛合部材
６２  孔
６３  係合体
７０  凸部
８０  溝口
８１  滑溝
Ｄ  方向
Ｐ１  グリップ部
Ｐ２  収納凹部
Ｐ３  収納袋
Ｐ４  グリップ部嵌合部材
【図１】
2007183917.tif 000003
【図２】
2007183917.tif 000004
【図３】
2007183917.tif 000005
【図４】
2007183917.tif 000006
【図５】
2007183917.tif 000007
【図６】
2007183917.tif 000008
【図７】
2007183917.tif 000009
【図８】
2007183917.tif 000010
【図９】
2007183917.tif 000011
【図１０】
2007183917.tif 000012